(57)【要約】  本発明は、ペット給水器に関し、水槽、水槽内に貯蔵された水を圧送するポンプ、ポンプから吐出された水が移送される給水管、給水管から水が供給される給水プレートを備え、給水プレートは高さ調節可能であるペット給水器。
2022501030.tif 000002
【特許請求の範囲】
【請求項１】
ペット給水器であって、
水槽と、
前記水槽内に貯蔵された水を圧送するポンプと、
前記ポンプから吐出した水が移送される給水管と、
前記給水管から水が供給される給水プレートと、を備えてなり、
前記給水プレートは高さ調節可能である、ペット給水器。
【請求項２】
前記の給水プレートは、取り替え可能な第１給水プレート及び第２給水プレートを備え、
前記第２給水プレートは前記第１給水プレートより厚い、請求項１に記載のペット給水器。
【請求項３】
前記給水プレートは取り替え可能な複数の給水プレートを備え、
前記複数の給水プレートは厚さが全て異なる、請求項２に記載のペット給水器。
【請求項４】
前記給水プレートの下側に設置されて前記給水プレートを支持するプレート支持台を更に備え、
前記給水プレートは前記プレート支持台から着脱可能である、請求項２に記載のペット給水器。
【請求項５】
前記給水プレートの中央には給水ホールが形成され、
前記給水ホールにはノズル栓が挿入され、
前記ノズル栓は給水プレートから着脱可能である、請求項４に記載のペット給水器。
【請求項６】
前記給水プレートの下側に設置されて前記給水プレートを上下移動させる昇降部と、
前記給水プレートが設定高さに到達するように前記昇降部を作動させる制御部と、を更に備える、請求項１に記載のペット給水器。
【請求項７】
前記給水プレートを下側から支持するプレート支持体と、
前記プレート支持体の下側に設置されて、前記給水プレートから落下した水を前記水槽に排出する水受けと、
前記水受けの上端部に突出したスライドリングと、を更に備え、
前記スライドリングは、前記プレート支持体にスライド結合される、請求項６に記載のペット給水器。
【請求項８】
前記水受けは、外側壁と、前記外側壁と内側方向に離隔形成されて排水通路を形成する内側壁と、を備え、
前記内側壁は、前記外側壁に向かって下側方向に傾斜して形成されたガイドを備え、
前記スライドリングは、前記ガイドの上端部から前記給水プレート方向に突出して形成された、請求項７に記載のペット給水器。
【請求項９】
前記プレート支持体は、前記給水プレートと垂直方向に形成されたスライドリング挿入部を備え、
前記スライドリングは、前記スライドリング挿入部によりスライド結合される、請求項７に記載のペット給水器。
【請求項１０】
前記プレート支持体は前記水受けの方向に形成された突出部を備え、
前記突出部は緩やかな曲面で形成された、請求項７に記載のペット給水器。
【請求項１１】
前記給水プレートを下側から支持するプレート支持体と、
前記プレート支持体の下端部と連結される区画板と、を備え、
前記昇降部は前記区画板の下側に設置されて前記区画板とともにプレート支持体及び給水プレートを上下移動させる、請求項６に記載のペット給水器。
【請求項１２】
前記プレート支持体の外郭は導光板が形成され、前記プレート支持体と共に移動する、請求項１１に記載のペット給水器。
【請求項１３】
前記昇降部は、モータ、前記モータにより回転する第１ギア、前記第１ギアと噛み合って前記第１ギアの回転により直線運動する第２ギアを備える、請求項６に記載のペット給水器。
【請求項１４】
前記第２ギアは、前記給水プレートと垂直方向に直線運動する、請求項１３に記載の記載のペット給水器。
【請求項１５】
前記給水プレートを下側から支持するプレート支持体と、
前記プレート支持体の下側に設置されて、前記給水プレートから落下した水を前記水槽に排出する水受けと、
前記水受けから上側に突出して前記プレート支持体に挿入されるスライドリングと、を備え、
前記スライドリングは複数の結合口が形成され、前記プレート支持体を通って前記複数の結合口の何れか１つを選択的に貫通して設置される固定バーを備える、請求項１に記載のペット給水器。
【請求項１６】
前記複数の結合口は、前記給水プレートと垂直方向に一定の間隔をおいて形成された、請求項１５に記載のペット給水器。
【発明の詳細な説明】
【技術分野】
【０００１】
本発明は、ペットに飲用水を提供する給水器に関し、より詳細には、水槽と、水槽に貯蔵された水を圧送させるポンプと、水槽内に配置されてポンプから圧送された水の供給を受けてペットに飲用水を提供する給水プレートとを備える給水器に関する。
【背景技術】
【０００２】
最近、ペットを飼う人が増えているだけでなく、ペットに対する愛着及び関心度も日々高まっているため、ペットのための多くの機構が開発されている。
【０００３】
その中でも、ペットは、生体リズムを維持するために随時水を飲まないといけないが、ペットは一人でいる場合も多く、人間とのコミュニケーションも困難であるため、ペットに水を提供できる給水器に対する要求か高まっている。
【０００４】
ＵＳ２０１５／０３１８０Ａ１は、水槽と、ポンプ及びフィルタが内蔵されたポンプモジュールと、ポンプと連結管給水パイプと、給水パイプから供給された水が一時貯蔵されるボウル（ｂｏｗｌ）が上側部に形成され、前記ポンプモジュールをかぶせるドーム形状の給水モジュール（ｆｏｕｎｔａｉｎ  ｍｏｄｕｌｅ）とを含む「ペット用給水組立体」を開示している。
【０００５】
しかしながら、前記発明は、給水部の高さが固定されているため、給水部の高さが高すぎるか低すぎる場合、ペットがしっかりと水を飲めない状況が発生し得る。
【発明の概要】
【発明が解決しようとする課題】
【０００６】
本発明が解決しようとする課題は、ペットが給水部の高さにこだわらずに楽に水を飲めるようにするペット給水器を提供することにある。
【０００７】
本発明の課題は、以上で言及した課題に限定されるものではなく、言及されていないまた他の課題は、以下の記載から当業者に明確に理解できるであろう。
【課題を解決するための手段】
【０００８】
前記課題を実現するための本発明によるペット給水器は、水槽と、水槽内に貯蔵された水を圧送するポンプと、ポンプから吐出された水が移送される給水管と、給水管から水が供給される給水プレートとを含み（備え：構成され）、給水プレートは高さの調節が可能である。
【０００９】
給水プレートは、取替可能な第１給水プレート及び第２給水プレートを含み、第２給水プレートは第１給水プレートより厚くてもよい。
【００１０】
給水プレートは取替可能な複数の給水プレートを含み、複数の給水プレートの厚さは全て異なってもよい。
【００１１】
給水プレートの下側に設置されて給水プレートを支持するプレート支持台をさらに含み、給水プレートはプレート支持台から着脱可能であってもよい。
【００１２】
給水プレートの中央には給水ホールが形成され、給水ホールにはノズル栓が挿入され、ノズル栓は給水プレートから着脱可能であってもよい。
【００１３】
給水プレートの下側に設置されて前記給水プレートを上下移動させる昇降部と、給水プレートが設定高さに達するように昇降部を作動させる制御部とをさらに含んでもよい。
【００１４】
給水プレートを下側から支持するプレート支持体と、プレート支持体の下側に設置されて、給水プレートから落下した水を前記水槽に排出する水受けと、水受けの上端部に突出形成されたスライドリングとをさらに含み、スライドリングはプレート支持体にスライド結合される。
【００１５】
水受けは、外側壁と、外側壁と内側方向に離隔形成されて排水通路を形成する内側壁とを含み、内側壁は、外側壁に向かって下側方向に傾斜して形成されたガイドを含み、スライドリングはガイドの上段部から給水プレート方向に突出して形成されてもよい。
【００１６】
プレート支持体は、給水プレートと垂直方向に形成されたスライドリング挿入部を含み、スライドリングはスライドリング挿入部を介してスライド結合される。
【００１７】
プレート支持体は水受け方向に形成された突出部を含み、突出部は緩やかな曲面で形成されてもよい。
【００１８】
プレート支持体の下端部と連結される区画板をさらに含み、昇降部は区画板の下側に設置されて区画板と共にプレート支持体及び給水プレートを上下移動させる。
【００１９】
プレート支持体の外郭は導光板が形成され、導光板はプレート支持体と共に移動する。
【００２０】
昇降部は、モータと、モータにより回転する第１ギアと、第１ギアと噛み合い、第２ギアの回転により直線運動する第２ギアとを含み、第２ギアは給水プレートと垂直方向に直線運動する。
【００２１】
給水プレートを下側から支持するプレート支持体と、給水プレート支持体の下側に設置されて、給水プレートから落下した水を水槽に排出する水受けと、水受けにおいて上側に突出してプレート支持体に挿入されるスライドリングとを含み、スライドリングは複数の結合口が形成され、プレート支持体を通って複数の結合口のうち１つを選択的に貫通して設置される固定バーを含んでもよい。
【００２２】
複数の結合口は給水プレートと垂直方向に一定の間隔をおいて形成される。
【発明の効果】
【００２３】
本発明によるペット給水器は、給水プレートの高さをペットに合わせて調節してペットが楽に水を飲めるという効果を提供する。
【００２４】
本発明の効果は以上で言及された効果に制限されず、言及されていないまた他の効果は請求範囲の記載から当業者に明確に理解できるであろう。
【図面の簡単な説明】
【００２５】
【図１】本発明の第１実施形態によるペット給水器の外観を示す斜視図である。
【図２】図１のペット給水器の断面図である。
【図３】本発明の第１実施形態による給水プレート及び周辺構成を示す分解断面図である。
【図４】図３の構成要素と本発明に含まれる照明装置が結合された断面図である。
【図５】図４の構成を示す分解斜視図である。
【図６】本発明の第１実施形態による水受けを示す断面図である。
【図７】図６と異なる実施形態による水受けを示す断面図である。
【図８】ペットのサイズの差による給水プレートの高さ調節が可能であることを示す図である。
【図９】本発明の第１実施形態によって厚い給水プレートに取り替えたときのペット給水器を示す図である。
【図１０】本発明の第２実施形態によって制御部の制御信号によりリフターが作動して給水プレートの高さ調節が可能であることを示すフローチャートである。
【図１１】本発明の第２実施形態によるペット給水器の断面図である。
【図１２】本発明の第２実施形態によるペット給水器の給水プレート及び周辺構成が上昇した様子を示す断面図である。
【図１３】図１１の昇降部Ａの構成を示す図である。
【図１４】本発明の第２実施形態による給水プレート及びその周辺構成の分解斜視図である。
【図１５】本発明の第２実施形態による給水プレート及びその周辺構成の断面図である。
【図１６】本発明の第２実施形態による水受けの断面図である。
【図１７】本発明の第３実施形態によるペット給水器の断面図である。
【発明を実施するための形態】
【００２６】
以下に説明する実施形態は、本発明の理解を助けるために例示的に示したものであり、本発明は、ここで説明される実施形態とは異なって、多様に変形されて実施可能であることが理解しなければならない。但し、本発明を説明するにおいて、関連した公知の機能あるいは構成要素についての具体的な説明が、本発明の要旨を不明にする恐れがあると判断される場合、その詳細な説明及び具体的な図示を省略する。また、添付図面は、発明の理解を助けるために実際の縮尺どおりに示されたものではなく、一部構成要素の寸法が誇張されるように示されうる。
【００２７】
本出願において使われている第１、第２などの用語は、多様な構成要素を説明するにあたって使われ得るが、前記構成要素は前記用語により限定されてはならない。前記用語は１つの構成要素を他の構成要素から区別する目的でのみ使われる。
【００２８】
本出願において使用される用語は、単に特定の実施形態を説明するために使用されるものであり、権利範囲を限定しようという意図ではない。単数の表現は、文脈上、明白に異なる意味をもたない限り、複数の表現を含む。本明細書において、「含む」、「成る」又は「構成される」などの用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００２９】
また、本出願において使用される方向に関連する用語、例えば、上・下側、左・右側、前・後方、時計回り、反時計回りなどの用語は、図面に示された構成要素の相対的な配置位置又は移動方向を説明するためのものであり、他の方向を排除しないものと理解されるべきである。
【００３０】
本願発明のペット給水器は、基本的に水槽に貯蔵された水をポンプにより給水プレートに供給し、給水プレートに供給された水が再び水槽に循環して様々な流動状態の水を供給することができる。これに関連して、図１及び図２を参照して、本発明の実施形態によるペット給水器の構成及び作動を説明する。
【００３１】
本発明のペット給水器は、図１及び図２を参照すると、水が貯蔵される水槽１０と、水槽内に設置されて水槽に貯蔵された水を圧送するポンプ２０と、ポンプ２０から吐出された水が移送される給水管２５と、給水管２５から供給された水が溢れ出る給水プレート３０とを含む。
【００３２】
水槽１０と給水プレート３０の間には、給水プレート３０から落下した水を受けて水槽１０に排出する水受け５０が配置される。
【００３３】
水槽１０の内部には、水槽１０に貯蔵された水がポンプ２０に流入する前に、前記水に含まれた異物を濾過する濾過フィルタ４０が設置される。
【００３４】
また、ペット給水器は、電力供給装置、照明装置、水位センサ、水温センサ、近接センサ、汚染感知センサ、水温維持装置、殺菌フィルタ、及びジャイロセンサなどを含む。
【００３５】
以下、本発明の第１実施形態による給水器の構成を全体的に説明する。
【００３６】
水槽１０は、図１及び図２を参照すると、上・下側が開口して水槽の側面枠を形成する側壁１１と、側壁１１の開口した下側に配置される底板１２とを含む。前記側壁１１は、水槽１０の底板１２の縁部から上側方向に延長されるメイン側壁１１ｃと、メイン側壁の上・下側にそれぞれ結合された上側側壁１１ａ及び下側枠壁１１ｂとを含む。
【００３７】
上側側壁１１ａはメイン側壁１１ｃの上側に傾斜して延長して形成され、上側側壁１１ａの内側に水槽１０の中心に向かって突出し、上下方向に互いに離隔した第１突出板１１１と第２突出板１１２が形成され、第２突出板１１２は第１突出板１１１より内側にさらに突出して形成され、第1、第２突出板１１１、１１２の内側端の間には、下側に行くほど水槽の中心に近くなるように傾いたインナー傾斜面１１３が形成される。
【００３８】
上側側壁１１ａの側壁部１１０は、上側に向かってメイン側壁１１ｃと同じ方向に延長されてメイン側壁１１ｃから上側に突出するか、メイン側壁１１ｃより次第に拡開又は縮小されるように延長されて突出する。
【００３９】
また、上側側壁１１ａは第１突出板１１１から上側に突出した上向き突出壁１１４が形成され、上向き突出壁１１４と第１突出板１１１上にはパッキン１１５が取り付けられて、後述する水受け５０がパッキン１１５に密着するように上側側壁１１ａに配置される。
【００４０】
底板１２の中央部に上側に向かって筒状に凸状の突出部１２１が形成され、前記底板１２の底面から見て前記突出部１２１の内部空間に後述する無線電力送信部７２が設置されてもよく、前記底板１２は側壁１１と一体に形成されるか、別個に形成されて互いに結合されてもよい。前記突出部１２１周囲の底面部位に下側に凹んだリング型のグルーブ１２２が形成される。
【００４１】
下側枠壁１１ｂは、メイン側壁１１ｃの下側縁部から下側方向に湾曲するように延長される外周面１１６を備え、前記外周面１１６の上側部から水槽の中心方向に所定サイズの幅を有するように下側枠壁表面１１７が突出するように形成される。
【００４２】
従って、下側枠壁１１ｂには底板１２の縁部と重なる所定の面積を有する下側枠壁表面１１７が形成され、前記下側枠壁表面１１７にはジャイロセンサ８８が設置される。
【００４３】
また、下側枠壁１１ｂの外周面１１６の下側部に形成された開口部に底板１２から下側に離隔されるベース１８がかぶせられ、前記下側枠壁１１ｂと、ベース１８と、底板１２の間には空間部が形成される。このように形成される空間部には各種の部品が設置され、ベース１８はドッキングステーション７１の上に配置される。
【００４４】
濾過フィルタ４０は、図１、図２を参照すると、第１濾過フィルタ４２と第２濾過フィルタ４４を含む。
【００４５】
第１濾過フィルタ４２は、相当の剛性を有する筒形状に形成され、側壁に多数の水流入口が形成される。第１濾過フィルタ４２は下側部に配置される下側フィルタカバー４３を含み、下側フィルタカバー４３は別個に形成されて第１濾過フィルタ４２と結合するか、第１濾過フィルタ４２と単一体として形成されてもよい。
【００４６】
前記下側フィルタカバー４３は、前述の水槽１０の底板１２に形成された突出部１２１にかぶせられるように上側に凸に形成され、下側フィルタカバー４３の縁部にフランジ４３１が形成されて、図２に示す底板１２の突出部１２１の周囲に形成された前記グルーブ１２２に挿入される。
【００４７】
第２濾過フィルタ４４は、第１濾過フィルタ４２の中空部に配置され、第２濾過フィルタ４４の内部空間にポンプ２０が設置される。
【００４８】
第１、第２濾過フィルタ４２、４４の上側に、給水管２５が貫通し、ポンプ２０と第１、第２濾過フィルタ４２、４４の上側部を密閉する上側フィルタカバー４６がかぶせられる。
【００４９】
一方、第２濾過フィルタ４４は、前述した下側フィルタカバー４３により第２濾過フィルタ４４の下側部がかぶせられ、第２濾過フィルタ４４と下側フィルタカバー４３は単一体となるように製造されてもよい。
【００５０】
一方、第２濾過フィルタ４４は、下側フィルタカバー４３が第１濾過フィルタ４２に一体に形成されるか、第１濾過フィルタ４２と結合された場合、前記の下側フィルタカバー４３の上に配置されてもよく、これとは逆に、下側フィルタカバー４３が第２濾過フィルタ４４に一体として形成されるか、第２濾過フィルタ４４と結合された場合、下側フィルタカバー４３の上に第１濾過フィルタ４２が配置されてもよい。
【００５１】
また、水槽１０内に第１、第２濾過フィルタ４２、４４のうち１つの濾過フィルタのみが備えられるか、図示されていない第３の濾過フィルタが含まれてもよい。
【００５２】
給水プレート３０は、図１、図２、図３、図５を参照すると、平滑な上側面３１を有するプレートで形成され、中央に給水ホール３２が形成され、下側方向に突出したボス部３３が形成され、前記給水ホール３２はボス部３３を貫通するように延長してい形成される。
【００５３】
給水プレート３０は、本発明の実施形態において円板形状に形成されているが、それとは異なる様々な形状に形成されてもよい。
【００５４】
給水プレート３０の上側面３１は縁部３１１に向かって上側に高くなる平滑な面で形成され、前記縁部３１１は下側にやや突出したエッジ突出部３１２が形成され、給水ホール３２は上側方向に次第に直径が大きくなるラッパ型拡開部３２１が形成され、前記給水ホール３２にノズル栓３４の少なくとも一部が挿入されるように配置される。
【００５５】
ノズル栓３４は、ステム３４１と、前記ステム３４１の外側方向に突出し、円周方向に離隔した複数の引っ掛け片３４５と、前記ステム３４１の上側に形成されたヘッド３４２とを含み、ヘッド３４２には上側に拡開されるヘッドカバー３４３が形成されるか結合される。
【００５６】
ノズル栓３４のステム３４１は、ヘッドカバー３４３が給水ホール３２から上側にやや離隔して突出するように給水ホール３２に挿入され、ラッパ型拡開部３２１の周辺とヘッドカバー３４３の間にリング形状の排出口３４４が形成され、給水管２５の出水口２７が給水ホール３２と連通するように給水ホール３２に一端が挿入されるか、給水ホール３２の下側に配置される。
【００５７】
前記ノズル栓３４は、ステム３４１に突出形成された引っ掛け片３４５が給水ホール３２の周辺の壁面に接触してノズル栓３４を給水ホール３２の所定位置に配置されるよう支持する。
【００５８】
従って、給水管２５の出水口２７から吐出された水は、リング形状の排出口３４４を介してリング状に噴出して給水プレートの上側面３１の中央に供給され、上側面３１の中央に供給された水は縁部３１１に向かって上側面３１に沿って流れた後、縁部３１１から垂直方向に落下する。
【００５９】
一方、給水プレート３０は、ステンレスや透明又は半透明材質の導光板で製造されてもよく、厚さが非常に薄くなるように形成されてもよい。
【００６０】
前記給水プレート３０の下側に給水プレート３０を支えるプレート支持台３６が配置され、前記プレート支持台３６は後述するプレート支持体６２や導光板６３に支えられて支持される。
【００６１】
プレート支持台３６は、給水プレート３０の外側部底面及びエッジ突出部３１２に接する外側リング３６１と、中央に位置するハブリング３６２と、前記外側リング３６１とハブリング３６２を連結する複数のスポーク３６３とを含み、前記ハブリング３６２の下側方向にボス部３６４が突出して形成される。
【００６２】
プレート支持台３６のハブリング３６２及びボス部３６４に形成されたホール３６５に給水プレート３０のボス部３３が挿入され、両ボス部３３、３６４の間にパッキンリング３７が強制挿入される可能性がある。
【００６３】
給水管２５は、プレート支持台３６から下側に離隔して配置された区画板３８を貫通して出水口２７が給水プレート３０の給水ホール３２と連通するように給水プレート３０の下側に配置される。
【００６４】
一方、給水管２５を通過するか、出水口２７から排出される水を殺菌するための殺菌フィルタとして、第３ＵＶフィルタ４９が給水管２５の周囲に配置されてもよく、前記第３ＵＶフィルタ４９は上下方向に長い円筒状に形成されてもよい。
【００６５】
給水プレート３０のボス部３３に形成された給水ホール３２には拡開された孔３３１が下側に形成され、前記拡開された孔３３１に第３ＵＶフィルタ４９の上側部４９１が挿入され、前記パッキンリング３７はプレート支持台のボス部３６４と第３ＵＶフィルタ４９の間に挿入され、第３ＵＶフィルタ４９の下側端が区画板３８上に配置され、給水管２５が第３ＵＶフィルタ４９の内部を貫通する。
【００６６】
前記第３ＵＶフィルタ４９は、給水管の出水口２７より高い位置までカバーするように設置されて、前記出水口から排出される水に直接ＵＶ光を照射して殺菌効果を向上させる。
【００６７】
一方、プレート支持台３６の底面に補強リング３９が配置され、補強リング３９は後述するプレート支持体６２の補強リブ６２１に支えられる。
【００６８】
前述において、給水プレート３０は、給水プレートの縁部３１１を把持して持ち上げると、パッキンリング３７の弾性力を克服して上側に移動してプレート支持台３６から分離され、従って、給水プレート３０を形状や高さ又は材質の異なる給水プレートに取り替えることができる。
【００６９】
給水プレート３０及びプレート支持台３６の下側に照明装置６０が設置されてもよい。
【００７０】
照明装置６０は、図２、図４、図５を参照すると、発光体６１と、前記発光体６１が設置される支持体６２と、前記支持体６２の外郭に配置される導光板６３と、前記支持体６２と導光板６３が載せられる区画板３８とを含み、前記支持体６２は円筒形状に形成されてもよい。
【００７１】
導光板６３は、上側に拡開したラッパ型に形成されてもよく、上側端６３ａが図７に示すように給水プレートのエッジ突出部３１２及びプレート支持台３６の外部リング３６１と接触し、下側端６３ｂが区画板３８に接触してもよい。
【００７２】
導光板６３の外側面６３１は、給水プレート３０の縁部３１１から下側方向に向かって次第に内側に入る傾斜面を形成するので、集水プレート３０の周縁部３１１から落下した水は、導光板６３にぶつかることなく垂直方向に落下することができる。
【００７３】
発光体６１は複数の発光ダイオードで製造されてもよく、所定形状の配列をなすように支持体６２に取り付けられるか、帯状の発光ダイオードで製造されてリング状になるよう支持体６２に取り付けられる。発光体６１は、支持体６２の上側部外周面に形成された内側に入った凹部６２ａに挿入されて取り付けられる。
【００７４】
支持体６２の内面には補強リブ６２１が形成されて、補強リング３９を支え、下側部に内側へ入った凹部（）が形成されて、導光板６３の下側端部に形成された内向突出部６３２が挿入され、支持体６２の下側部に発光体６１の発光を制御するＰＣＢ６２３が内側方向に突出形成されて、区画板３８上に突出して配置される。
【００７５】
前記支持体６２、導光板６３及び区画板３８は、互いに一体となるように接合又は融着されるか、互いに分離可能に組み立てられてもよい。
【００７６】
水受け５０は、図１、図２、図６を参照すると、給水プレート３０より下側に位置し、水槽１０の開放した上側をかぶせるように配置されて、給水プレート３０の縁部３１１から落下した水を受けて水槽１０に排出する。
【００７７】
水受け５０は、外側枠を形成する外側壁５１と、内側枠を形成し、前記外側壁との間に排水通路５２を形成する内側壁と５３を含み、前記外側壁５１と内側壁５３の下側部を連結する底壁５５を含む。
【００７８】
前記底壁５５には、給水プレート３０から水受け５０に落下した水を水槽１０に排出するホール５６が形成され、前記ホール５６は底壁５５の円周方向に沿って形成された１つ以上のリング状ホール又は円形のホールで形成されてもよい。
【００７９】
内側壁５３には外側壁５１に向かって突出し、下側に傾斜したガイド５４が形成されて、給水プレート３０から落下した水がガイド５４に沿って下側に案内され、前記ガイド５４は表面がラウンドに形成されてもよい。
【００８０】
本発明の実施形態において、前記ガイド５４は水受け５０の内側壁５３に形成されたものを例にしたが、前記ガイドは水受けの外側壁５１に形成されて内側壁５３に向かって突出してもよい。
【００８１】
図２を参照すると、前記ガイド５４は、上側部が導光板６３の下側端部に接触し、ガイド５４の上側部内側に溝５４１が形成されて前記溝５４１に区画板３８の縁部が位置した上で、導光板６３がガイド５４の上側部と区画板３８の縁部上に配置される。
【００８２】
前記において、導光板６３、水受け５０、及び区画板３８は、公知の方法により互いに分離可能に組み立てられるか、接着又は融着などの方法により互いに固定的に結合されてもよく、前記水受け５０が分離可能に組み立てられた場合、前記水受け５０は形状又は高さが異なる水受けに取り替えられてもよい。
【００８３】
図６を参照すると、水受け５０の外側壁５１は内側面にガイド５４に向かって突出部５１１が形成され、前記突出部５１１から上側に延長される外側壁の内面５１２は上側に拡開される傾斜面で形成されてもよく、前記突出部５１１とガイド５４の間に間隔の狭い排水通路５２１が形成されてもよい。
【００８４】
従って、給水プレート３０から水受け５０に落下した水は、ガイド５４と突出部５１１上にしばらく留まった後、狭い排水通路５２１を介して下側に移動することもできる。
【００８５】
前記外側壁５１の上側部内面５１２と前記突出部５１１の上側面に水受け５０と異なるの材質の被覆層５９がコーティングされ、前記ガイド５４を水受け５０と異なる材質で形成して美感が向上するか、触感を柔らかくすることができ、落下する水がぶつかって飛散することがないようにすることができる。
【００８６】
水受けの外側壁５１は内側壁５３より高さが高く形成されてもよく、図２に示すように、水受けの外側壁５１は水槽の上側側壁１１ａより高さが高く形成され、上側側壁１１aと外側に所定角度（θ）、例えば、１２０°の角度をなすように上側側壁１１aより拡開されて形成されてもよい。
【００８７】
水受けの外側壁５１の外面は２段の上・下側傾斜面５１３、５１４を備えたアウター傾斜面が形成され、上・下側傾斜面５１３、５１４の間にステップ部５１５が形成され、水受けの下側傾斜面５１４が水槽１０のインナー傾斜面１１３に支えられて支持される。
【００８８】
また、水受けのステップ部５１５は上側側壁１１aに形成された第１突出板１１１に掛かるように配置され、水受けの上側傾斜面５１３は上側側壁１１a上に取り付けられたパッキン１１５に接触して支持される。
【００８９】
従って、水受け５０は、水槽３０の上側側壁１１ａに掛かった状態で水槽３０の上側に堅実に配置される。
【００９０】
一方、水受け５０の底壁５５は内側壁５３から内側に突出した突出段差部５５１が形成され、前記突出段差部５５１は前述の上側フィルタカバー４６の縁部の上側に位置する。
【００９１】
図２を参照すると、上側フィルタカバー４６と、水受けの内側壁５３と、区画板３８の間に水槽１０と密閉される電装室Ｓが形成され、前記電装室Ｓに補助バッテリＢ及び制御部Ｃが設置される。
【００９２】
前述において、水受けの突出顎部５５１と上側フィルタカバー４６は、雌・雄フック又はねじ結合などの公知手段により互いに分離可能に組み立てられるか、融着又は接着方法により固定的に結合される。
【００９３】
前記水受けの他の実施形態を図７に示す。図７に示す水受けは、底壁５５'が水受けの下側部を全てかぶせるように形成されたものであり、他の構成は前述の図６の実施形態と同一である。
【００９４】
一方、図７に示す水受けは、底壁５５'が水受けの下側部を全てかぶせるように形成されているので、前記底壁５５が前記第１、第２濾過フィルタ４２、４４の上側部と接触するように結合され、従って、前記上側フィルタカバー４６が省略されてもよい。
【００９５】
一方、濾過フィルタ４０、ポンプ２０、給水管２５、給水プレート３０、照明装置６０、及び水受け５０は、互いに一体となるように結合されるか又は組み立てられて単一のインナー組立体を形成する。
【００９６】
従って、水槽１０内にインナー組立体が着脱可能に配置されるので、水槽１０からインナー組立体を分離して水槽の洗浄及び各種部品の補修作業を容易に行うことができる。
【００９７】
また、前記インナー組立体が水槽１０内に設置される場合、インナー組立体の上側部の縁部に位置する水受け５０の外側壁５１が水槽３０の上側側壁１１ａに掛かって支持され、インナー組立体の下側中央に位置する下側フィルタカバー４３が水槽の底板１２に形成された突出部１２１にかぶせられるので、インナー組立体が水槽１０内で移動されることなく、安定的に所定位置に設置されることができ、水受け５０の外側壁５１を把持して水槽１０の上側に持ち上げると、前記インナー組立体は水槽１０から容易に分離される。
【００９８】
電力供給装置７０は、図２を参照すると、ドッキングステーション７１を含み、前記ドッキングステーション７１は、相当の重みを有する重量体７１１と、重量体７１１の中央部に形成された円筒形状の突出棒７１２と、前記突出棒７１２に配置される第１接続端子（図示せず）と、前記第１接続端子に外部電源を印加する電線７１３とを含む。
【００９９】
水槽１０の底板１２と、ベース１８と、下側枠壁１１ｂの間に形成される空間部には、第２接続端子と電気的に接続される電力回路部７１５が設置されてもよい。
【０１００】
水槽の底板１２の下側に前記電力回路部７１５と電気的に接続された無線電力送信部７２が設置され、水槽内に前記無線電力送信部７２と感応して誘導電圧を起こす無線電力受信部７３が設置される。
【０１０１】
前記無線電力送信部７２が底板１２に形成された突出部１２１内の空間に配置され、前記無線電力受信部７３は前記突出部１２１の上側に位置する下側フィルタカバー４３とポンプ２０の間に配置される。
【０１０２】
無線電力受信部７３は制御部Ｃにより接続され、前記無線電力受信部７３を介して制御部Ｃ及び制御部の信号により動作する様々な構成要素の動きに必要な電力を供給する。
【０１０３】
以下、図２ないし図４、図 ８ないし図９を参照して、本発明の第１実施形態による給水プレートの高さ調節について説明する。
【０１０４】
給水器を使用するペットは、その種に応じて又は年齢に応じて様々な体型及び体躯を有する動物である。このとき、ペットが水を飲めるように設けられた給水プレートの高さはペットに比べて高すぎるか低すぎる可能性があるので、給水器を使用するペットが楽に水を飲めるように給水プレートの高さを調節する必要がある。
【０１０５】
本発明の第１の実施形態によれば、給水プレートの高さを調節するために、給水プレート３０をより厚い給水プレート３０−１に取り替えることができる。取り替えられた給水プレート３０−１が設置された様子は図９に示す。
【０１０６】
給水プレート３０−１は厚がより厚いことを除いては給水プレート３０と同一形状に製作される。従って、給水プレートの給水ホール３２及びプレート支持台３６は図２の給水プレート３０と同様に形成される。だたし、給水プレート３０−１の厚さが異なるので、給水プレートの厚さ方向に形成されたボス部３３は、給水プレート３０−１の厚さの分だけ延長して形成される。
【０１０７】
ノズル栓３４は着脱可能に形成される。従って、給水プレートを取り替えるとき、既存の給水プレート３０に備えられたノズル栓３４を分離し、他の給水プレート３０−１を差し込んだ後、再びノズル栓３４を給水プレート３０−１の給水ホールに挿入する。
【０１０８】
給水プレート３０、３０−１の下側にはプレート支持台３６が備えられ、給水プレート３０、３０−１はプレート支持台３６から着脱可能である。従って、給水プレートを取り替えるとき、プレート支持台からの脱去及び取付けを繰り返して行うことができる。
【０１０９】
本発明の実施形態によれば、厚い給水プレート３０−１のみを開示しているが、必ずしもこれに限定されるものではなく、厚さに応じて様々な厚さの給水プレートが備えられて、ペットに応じてペットが最も楽に水を飲める高さの給水プレートに取り替えることもできる。
【０１１０】
以下、図８及び図１０ないし図１６を参照して本発明の第２実施形態による給水プレートの高さ調節について説明する。後述する第２実施形態に関する内容以外は、前述の第１実施形態と同様である。
【０１１１】
本発明の第２の実施形態は、給水プレート３０'の下側から給水プレートを支持するプレート支持体６２'、給水プレートから落下した水を水槽に排出する水受け５０'を含み、水受け５０’は外側壁５１'と、前記外側壁の内側方向に離隔形成されて排水通路を形成する内側壁５３'を含み、前記内側壁は、外側壁に向かって突出し、下側に傾斜したガイド５４’か形成され、ガイドの上側端部には、給水プレートの方向に突出形成された円筒形のスライドリング５４１’を含む。
【０１１２】
前記プレート支持体６２’は、スライドリング５４１’が挿入されるスライドリング挿入部６２ａ’、発光体６１が挿入される発光体挿入部６２ｂ’、区画板３８’と連結されて給水プレート３０’を支持するプレート支持部６２ｃ’、ガイド５４'の方向に突き出る突出部６２ｄ'を含む。
【０１１３】
前記プレート支持体６２’の下側には、プレート支持体を支持する区画板３８’を含み、前記区画板の下側には、区画板を昇降させる昇降部Ｌが設置される。
【０１１４】
昇降部は、本発明の第２実施形態によれば、Ｌ１、Ｌ２の２つが形成されているが、これに限定されるものではなく複数の昇降部が形成されてもよい。
【０１１５】
本発明の第２実施形態による昇降部Ｌは、図１３に示すように、ラックピニオン構造により区画板を昇降させる。従って、モータＭの駆動時、第１ギアＡ１が共に回転し、第１ギアと噛み合っている第２ギアＡ２が上下運動してこれにより区画板３８の昇降が可能である。第１ギアはピニオンギアで形成されてもよく、第２ギアはラックギアで形成されてもよい。
【０１１６】
ただし、本発明の第２の実施形態による昇降部Ｌの構成は、図１３の構成に限定されず、区画板を上下移動できる様々な昇降手段により実現できる。
【０１１７】
使用者は、給水プレート３０’の高さを設定手段（図示せず）により設定することができる。給水プレートの高さが設定されると、設定手段（図示せず）により、制御部Ｃは、設定された給水プレートの高さ設定情報を感知し、その信号を昇降部Ｌに伝達する（Ｓ１０）。以後、昇降部Ｌは、受信した給水プレートの高さ設定情報によって昇降部Ｌに接する区画板３８’を昇降させる（Ｓ２０）。区画板３８’の昇降により区画板の上側に備えられた構成は区画板と共に昇降される。このとき、給水プレート３０’も区画板３８’とともに昇降されながら高さ設定情報による設定位置に安着する（Ｓ３０）。
【０１１８】
だたし、給水プレートの上昇時、受水と給水プレートとの間に所定の空間が形成され、給水プレートの端部から落下した水が前記空間を介して水受けの内側に形成された電装室Ｓに流れ込む可能性があるという問題点がある。
【０１１９】
従って、このような問題点を解決するために、水受け５０'のガイド５４'の上側にスライドリング５４１’及びプレート支持体６２’にスライドリング挿入部６２’が形成される。
【０１２０】
給水プレート３０’が最下段に位置するときは、図１１に示すように、スライドリング５４１’がスライドリング挿入部６２ａ'に挿入されたまま位置し、突出部６２ｄ'はガイド５４'と接するようになって導光板６３、突出部６２ｄ'、ガイド５４'が連続的な外郭ラインを形成するので、給水プレートの端部から落下した水は、前記外郭ラインにより電装室Ｓへの流入が遮断される。
【０１２１】
また、給水プレート３０’が最上段に位置するときは、図１２に示すように、スライドリング５４１’がスライドリング挿入部６２ａ’をある程度抜けるようになり、同時にスライドリング５４１’が突出部６２ｄ'とガイド５４'の間の空間に形成されることになり、導光板６３、突出部６２ｄ'、スライドリング５４１’、ガイド５４'が連続的な外郭ラインを形成するので、給水プレートの端部から落下した水は、やはり前記外郭ラインにより電装室Ｓへの流入が遮断される。
【０１２２】
また、給水プレート３０’が最上段、最下段を除いた中間位置に位置する場合も、スライドリング５４１’が依然として外郭ラインを形成するので、給水プレートが最上段に位置する場合と同様に落下した水の流入が遮断される。
【０１２３】
このとき、プレート支持体の突出部６２ｄ'は下側に向かって緩やかな曲線で突出しているため、導光板６３に沿って流れる水の大部分は重力により突出部６２ｄ'を介して直接ガイド５４'に落下し、表面張力に頼った少量の水のみがスライドリング５４１’に沿って流れるので、水がスライドリング５４１’とスライドリング挿入部６２ａ’の間の隙間に逆行して流入する可能性を最小化する。
【０１２４】
給水プレート３０’の昇降により、給水プレート３０’と連結された給水管２５は、少なくとも給水プレート３０’が最上段に位置する場合も給水プレート３０’とポンプ２０を連結できる長さに形成される。このとき、給水プレート３０’の下降時にも給水管としての役割を果たすために、前記給水管２５は曲がりやすい材質で形成される。
【０１２５】
結果的に、本発明の第２の実施形態により、使用者が希望し、ペットが楽に水を飲める給水プレートの位置を昇降部Ｌ及び制御部Ｃにより設定することができる。
【０１２６】
以下、図１７を参照して、本発明の第３実施形態による給水プレートの高さ調節について説明する。後述する第３実施形態に関する内容以外の事項は、前述の第１、第２実施形態と同様である。
【０１２７】
第３実施形態は、スライドバー５４１"に結合口５４１"ａ、ｂ、ｃ、ｄがスライドバーの高さに応じて一定の間隔で形成され、結合口５４１"ａ、ｂ、ｃ、ｄ及び給水プレート支持体６２"を貫通する固定バー５４０"をそれぞれの結合口５４１"ａ、ｂ、ｃ、ｄのいずれか１つの結合口に挿入して、給水プレート部３０"及びそれに連結され給水部構成を固定する。
【０１２８】
要約すると、高さ方向に備えられた複数の結合口のうち１つに選択的に固定バーを貫通して、これにより給水プレートの高さを調節することができる。本発明の実施形態によれば、結合口５４１"ａ、ｂ、ｃ、ｄは４つで形成されるが、その個数はこれに限定されず、複数の結合口が高さ方向に配列され、そのうちの１つの結合口及びその結合口に挿入される固定バーにより給水プレートの高さが多様に設定できれば良い。
【０１２９】
添付の図面は、本明細書に記載された実施形態を容易に理解するためのものに過ぎず、添付の図面により本明細書に開示された技術的思想は制限されることなく、本発明の思想及び技術範囲に含まれる全ての変更、均等物ないし代替物を含むと理解すべきである。
【０１３０】
また、以上では、本発明の好ましい実施形態について図示して説明したが、本発明は前述の特定の実施形態に限定されず、請求範囲で請求する本発明の要旨を逸脱することなく当該発明が属する技術分野において通常の知識を有する者によって様々な変形実施が可能であることはいうまでもなく、このような変形実施が、本発明の技術的思想や見込みから個別的に理解されてはならない。
【図１】
2022501030.tif 000003
【図２】
2022501030.tif 000004
【図３】
2022501030.tif 000005
【図４】
2022501030.tif 000006
【図５】
2022501030.tif 000007
【図６】
2022501030.tif 000008
【図７】
2022501030.tif 000009
【図８】
2022501030.tif 000010
【図９】
2022501030.tif 000011
【図１０】
2022501030.tif 000012
【図１１】
2022501030.tif 000013
【図１２】
2022501030.tif 000014
【図１３】
2022501030.tif 000015
【図１４】
2022501030.tif 000016
【図１５】
2022501030.tif 000017
【図１６】
2022501030.tif 000018
【図１７】
2022501030.tif 000019
【国際調査報告】
2022501030.tif 000020
2022501030.tif 000021
2022501030.tif 000022
2022501030.tif 000023